(57)【要約】【課題】既設の浴室テレビシステムに映像出力装置を増設可能にするにあたり、映像出力装置の電源スイッチ操作の操作忘れが起きないようにする。【解決手段】浴室内のモニタ装置に電力とＡＶ信号を供給する本体装置を有する浴室テレビシステムにおいて、本体装置に他の映像出力装置を接続するための接続ユニットであって、商用電源の入力端子２と本体装置への電源出力端子３との間に電流検出手段１２を設け、この電流検出手段１２の出力に基づいて本体装置側の電源スイッチのオン／オフの状態を判定し、映像出力装置の動作状態が本体装置側の動作状態に連動するように赤外線発光モジュール３２を通じて映像出力装置に対して赤外線信号を出力する。【選択図】  図１
2009010801.tif 000002
【特許請求の範囲】
【請求項１】
浴室内のモニタ装置と、該モニタ装置に電力と映像信号及び音声信号を供給する本体装置とを有する浴室テレビシステムにおいて、前記本体装置に対して他の映像信号及び音声信号を供給する映像出力装置を接続するための接続ユニットであって、
商用電源の入力端子と、前記本体装置への電源出力端子と、前記映像出力装置への電源出力端子と、
前記本体装置に流れる電流を検出する本体装置の電流検出手段と、
前記映像出力装置に流れる電流を検出する映像出力装置の電流検出手段と、
前記映像出力装置に対する赤外線信号を出力する赤外線信号送信手段と、
制御手段とを備えてなり、
前記制御手段は、前記各電流検出手段の出力に基づいて本体装置及び映像出力装置のそれぞれの動作状態を判定し、前記映像出力装置が前記本体装置の動作状態に連動するように前記赤外線信号送信手段を通じて赤外線信号を出力させる制御構成を有する
ことを特徴とする映像出力装置の接続ユニット。
【請求項２】
前記制御手段は、前記赤外線信号を出力させたときに、前記映像出力装置の電流検出手段の出力に基づいて前記映像出力装置が前記本体装置に連動したか否かを判定し、連動していなければ再度前記赤外線信号を出力させる制御構成を有することを特徴とする請求項１に記載の映像出力装置の接続ユニット。
【請求項３】
外部からの赤外線信号を前記制御手段に入力するための赤外線信号入力手段を備え、
前記制御手段は、この赤外線信号入力手段を通じて入力される制御信号に応じた赤外線信号を前記赤外線信号送信手段から出力させる制御構成を有する
ことを特徴とする請求項１または２に記載の映像出力装置の接続ユニット。
【請求項４】
前記制御手段は、前記赤外線信号入力手段から入力される赤外線信号の信号コードを変換するコード変換手段を備えていることを特徴とする請求項３に記載の映像出力装置の接続ユニット。
【請求項５】
外部から無線送信される制御信号を受信して前記制御手段に入力するための無線受信手段を備え、
前記制御手段は、この無線受信手段を通じて入力される制御信号に応じた赤外線信号を前記赤外線信号送信手段から出力させる制御構成を有する
ことを特徴とする請求項１または２に記載の映像出力装置の接続ユニット。
【請求項６】
前記本体装置にアナログ方式のテレビ放送を受信するためのアナログチューナが備えられ、
前記映像出力装置としてデジタル方式のテレビ放送を受信するためのデジタルチューナが用いられ、
これらが請求項１から５のいずれかに記載の映像出力装置の接続ユニットによって接続されることを特徴とする浴室テレビシステム。
【発明の詳細な説明】
【技術分野】
【０００１】
この発明は映像出力装置の接続ユニット及び浴室テレビシステムに関し、より詳細には、既設の浴室テレビシステムを利用してデジタル方式のテレビ放送を視聴可能にする技術に関する。
【背景技術】
【０００２】
近時、浴室の壁面にテレビ放送の映像を表示するモニタ装置を配設した浴室テレビシステムが提供されている。
【０００３】
図５は、この種の浴室テレビシステムの概略構成の一例を示す説明図である。図示のようにこの種の浴室テレビシステムは、浴室の壁面に設置されるモニタ装置ａと、浴室の外部（たとえば、浴室の天井裏など）に設置される本体装置ｂと、これらを接続する多芯のケーブルｃと、上記モニタ装置ａおよび本体装置ｂを遠隔操作するためのワイヤレスリモコンｄとを主要部として構成される。
【０００４】
具体的には、図６に示すように、モニタ装置ａは、上記本体装置ｂから提供される映像信号及び音声信号（以下、これらを総称して「ＡＶ信号」とする）を入力するモニタＡＶ信号入力部ｅと、上記モニタＡＶ信号入力部ｅに入力された映像信号を表示する表示部（たとえば液晶表示装置など）ｆと、上記モニタＡＶ信号入力部ｅに入力された音声信号を出力する音声出力部（たとえばスピーカなど）ｇと、上記ワイヤレスリモコンｄからの赤外線信号を受信するモニタ赤外線信号受光部ｈと、受光した赤外線信号を本体装置ｂに送信するモニタ赤外線信号送信部ｉと、モニタ装置ａの各部を制御するモニタ制御部ｊと、上記本体装置ｂから供給される直流電力をモニタ装置ａの各部に供給するモニタ電源部ｋとを主要部として備えている。なお、このモニタ電源部ｋは、ケーブルｃを介してこの本体装置ｂの本体電源部ｒから電力の供給を受ける。
【０００５】
一方、本体装置ｂは、モニタ装置ａに電力とＡＶ信号を供給する装置であって、テレビ放送受信用のアナログチューナｌと、図示しないビデオプレイヤやＤＶＤプレイヤなどの映像出力装置から出力されるＡＶ信号を入力するための本体ＡＶ信号入力部ｍと、上記モニタ装置ａに与えるＡＶ信号の切り替え（上記アナログチューナｌのＡＶ信号出力と上記本体ＡＶ信号入力部ｍからのＡＶ信号出力のいずれをモニタ装置ａに出力するかの切り替え）を行なう本体セレクタ部ｎと、上記モニタ装置ａから送信される赤外線信号を入力する本体赤外線信号入力部ｏと、本体装置ｂの各部を制御する本体制御部ｐと、上記モニタ装置ａから入力される赤外線信号を外部に出力するための本体赤外線信号送信部ｑと、商用電源ＣＰと接続されて交流電源を直流電源に変換する本体電源部ｒとを主要部として構成される。なお、この本体電源部ｒには上述したモニタ電源部ｋ等に直流電力を供給するための電源出力端子（図示せず）が設けられている。
【０００６】
ワイヤレスリモコンｄは、モニタ装置ａのオン／オフやテレビと外部入力の切替、テレビチャンネルのＵＰ／ＤＯＷＮ、音量のＵＰ／ＤＯＷＮ、などを操作するためのスイッチからなる操作部ｓと、上記操作部ｓの操作に応じた赤外線信号を出力するリモコン赤外線信号送信部ｔと、リモコン各部を制御するリモコン制御部ｕと、乾電池等を電源としてリモコンｄの各部に電力を供給するリモコン電源部ｖとを主要部として構成される。
【０００７】
そして、このように構成された浴室テレビシステムにおいては、ワイヤレスリモコンｄの操作部ｓが操作されると、その操作内容に応じた赤外線信号がワイヤレスリモコンｄのリモコン赤外線信号送信部ｔから送信され、モニタ装置ａのモニタ赤外線信号受光部ｈで受信され、この赤外線信号に応じてモニタ装置ａおよび本体装置ｂが遠隔操作可能とされている。なお、その際、ワイヤレスリモコンｄで本体装置ｂの本体セレクタ部ｎを切り替える操作（表示入力の選択操作）を行なうことにより、モニタ装置ａに表示される映像をアナログチューナｌで受信した映像と、本体ＡＶ信号入力部ｍに入力される映像とに切り替えることができる。
【０００８】
【特許文献１】特開平１１−１５９８６１号公報
【発明の開示】
【発明が解決しようとする課題】
【０００９】
しかしながら、このような従来の浴室テレビシステムにおいては以下のような問題があり、その改善が望まれていた。
【００１０】
すなわち、従来の浴室テレビシステムにおいて本体装置ｂに内蔵されるテレビ放送受信用のチューナはアナログチューナｌであることから地上デジタル放送を受信することができない。そのため、このような従来の浴室テレビシステムにおいて地上デジタル放送を視聴するためには、本体装置ｂ（特にアナログチューナｌの部分）を地上デジタル放送の受信が可能なデジタルチューナに交換するか、あるいはデジタルチューナのＡＶ信号出力端子を本体ＡＶ信号入力部ｍに接続しなければならない。
【００１１】
ところが、上述したいずれの方法による場合も、ワイヤレスリモコンｄから送信される赤外線信号の信号コードとデジタルチューナ遠隔操作用の赤外線信号コードとが一致しなければ、デジタルチューナをワイヤレスリモコンｄで遠隔操作することができない。
【００１２】
また、その一方で赤外線信号の信号コードの問題を解決できた場合でも、前者の場合（アナログチューナをデジタルチューナに交換する場合）においては、上述したように既設の本体装置ｂはモニタ装置ａの電源を兼ねるという特殊な構成を採用する一方で装置全体の小型化が図られていることから、市販品のデジタルチューナを本体装置の筐体内に収容するのは困難である。また、後者の場合（本体ＡＶ信号入力部ｌに接続する場合）、地上デジタル放送を視聴するには、ワイヤレスリモコンｄでモニタ装置ａ（本体装置ｂ）とデジタルチューナの双方の電源スイッチを操作しなければならないことから、その操作が煩雑となる問題がある。特にこの場合は、デジタルチューナの電源スイッチの切り忘れによる無駄な電力消費や、デジタルチューナの電源スイッチの入れ忘れ（この場合、表示部に映像が表示されない）による故障との誤解を招くおそれがあった。
【００１３】
本発明は、このような問題点に鑑みてなされたものであって、その目的とするところは、既設の浴室テレビシステムに映像出力装置を増設可能にする接続ユニットを提供するとともに、より詳細には、映像出力装置の電源スイッチ操作の操作忘れが起きないようにした接続ユニットを提供することを目的とする。そして、これにより使い勝手のよい浴室テレビシステムを提供する。
【課題を解決するための手段】
【００１４】
上記目的を達成するため、請求項１に記載の映像出力装置の接続ユニットは、浴室内のモニタ装置と、該モニタ装置に電力とＡＶ信号を供給する本体装置とを有する浴室テレビシステムにおいて、上記本体装置に対して他のＡＶ信号を供給する映像出力装置を接続するための接続ユニットであって、商用電源の入力端子と、上記本体装置への電源出力端子と、上記映像出力装置への電源出力端子と、上記本体装置に流れる電流を検出する本体装置の電流検出手段と、上記映像出力装置に流れる電流を検出する映像出力装置の電流検出手段と、上記映像出力装置に対する赤外線信号を出力する赤外線信号送信手段と、制御手段とを備えてなり、上記制御手段は、上記各電流検出手段の出力に基づいて本体装置及び映像出力装置のそれぞれの動作状態を判定し、上記映像出力装置が上記本体装置の動作状態に連動するように上記赤外線信号送信手段を通じて赤外線信号を出力させる制御構成を有することを特徴とする。
【００１５】
すなわち、請求項１に記載の接続ユニットは、商用電源の入力端子と、本体装置への電源出力端子と、映像出力装置への電源出力端子とを備えることから、浴室テレビシステムに映像出力装置を追加接続するにあたり、既設の本体装置及び増設する映像出力装置が双方ともこの接続ユニットを介して商用電源に接続される。そして、本体装置に流れる電流及び映像出力装置に流れる電流のそれぞれが電流検出手段で検出され制御手段に与えられる。制御手段は、これら本体装置及び映像出力装置に流れる各電流を監視し、その電流値の変動から本体装置及び映像出力装置の双方が電源オン／オフのいずれの動作状態にあるかを判定する。そして、本体装置の電源スイッチがオンされるとそれに合わせて映像出力装置の電源スイッチをオンさせる赤外線信号を映像出力装置に与える。また、本体装置の電源スイッチがオフされるとそれに合わせて映像出力装置の電源スイッチをオフさせる赤外線信号を映像出力装置に与える。これにより浴室テレビシステムに増設された映像出力装置は常に本体装置の動作状態に連動するようになり、映像出力装置の電源スイッチの切り忘れや電源スイッチの入れ忘れが解消される。
【００１６】
また、請求項２に記載の発明は、請求項１記載の映像出力装置の接続ユニットにおいて、上記制御手段は、上記赤外線信号を出力させたときに、上記映像出力装置の電流検出手段の出力に基づいて上記映像出力装置が上記本体装置に連動したか否かを判定し、連動していなければ再度上記赤外線信号を出力させる制御構成を有することを特徴とする。
【００１７】
すなわち、この請求項２に記載の接続ユニットは、映像出力装置を本体装置の動作状態に連動させるように赤外線信号を出力したにもかかわらず映像出力装置の動作状態が予定どおり変更されなかった場合を想定した制御構成を有している。具体的には、制御手段は、映像出力装置の電流検出手段の出力に基づいて映像出力装置の動作状態を判定し、映像出力装置が予定どおり変更されていなければ改めて赤外線信号を映像出力装置に与える。これにより、本体装置の動作状態への連動に一度失敗しても再度赤外線信号が送信されるので本体装置への連動を確実に行なうことができる。なお、この制御は、本体装置の動作状態に連動するまで所定回数繰り返し行なわれるように構成し、所定回数繰り返してもなお映像出力装置の動作状態が本体装置に連動しない場合には赤外線信号の送信を停止して所定の故障報知処理を実行するように構成しておくのが好ましい。
【００１８】
また、請求項３に記載の発明は、請求項１または２に記載の映像出力装置の接続ユニットにおいて、外部からの赤外線信号を上記制御手段に入力するための赤外線信号入力手段を備え、上記制御手段は、この赤外線信号入力手段を通じて入力される制御信号に応じた赤外線信号を上記赤外線信号送信手段から出力させる制御構成を有することを特徴とする。そして、その好適な実施態様として、上記制御手段は、上記赤外線信号入力手段から入力される赤外線信号の信号コードを変換するコード変換手段を備えていることを特徴とする。
【００１９】
すなわち、この請求項３に記載の接続ユニットは、モニタ装置や本体装置にワイヤレスリモコンから送信された赤外線信号を外部に取り出す機能が備えられている場合に用いられるもので、この接続ユニットではモニタ装置等から外部に取り出された赤外線信号が赤外線信号入力手段を通じて制御手段に入力される。そして、制御手段は、このようにして入力された赤外線信号（制御信号）に応じた赤外線信号を上記赤外線信号送信手段から映像出力機器に与える。これにより、ワイヤレスリモコンでチャンネル操作等（具体的には、映像出力装置に対する操作であって、電源スイッチの入り／切り以外の操作）がなされた場合においてもその操作内容が映像出力装置に与えられるので、ワイヤレスリモコンを通じて映像出力装置を遠隔操作することができる。なお、その際、ワイヤレスリモコンから出力される赤外線信号の信号コードと映像出力装置の遠隔操作用の信号コードとが相違する場合には、コード変換手段で赤外線コードを映像出力装置の信号コードに変換して映像出力装置に与える。
【００２０】
また、請求項５に記載の発明は、請求項１または２に記載の映像出力装置の接続ユニットにおいて、外部から無線送信される制御信号を受信して上記制御手段に入力するための無線受信手段を備え、上記制御手段は、この無線受信手段を通じて入力される制御信号に応じた赤外線信号を上記赤外線信号送信手段から出力させる制御構成を有することを特徴とする。
【００２１】
すなわち、この請求項５に記載の接続ユニットは、モニタ装置や本体装置にワイヤレスリモコンから送信された赤外線信号を外部に取り出す機能が備えられていない場合に用いられるものである。この場合、ワイヤレスリモコンからの赤外線信号を映像出力装置に与えることができないので、映像出力装置に対するチャンネル操作等（具体的には、映像出力装置に対する操作であって、電源スイッチの入り／切り以外の操作）は無線送信機（たとえば、ワイヤレスリモコンに内蔵させた送信機）によって送信するようにしておく。そうすることで、無線送信機から送信された無線信号が無線受信手段を通じて制御手段に入力され、この無線信号（制御信号）に応じた赤外線信号が映像出力機器に与えられる。これにより、モニタ装置や本体装置にワイヤレスリモコンから送信された赤外線信号を外部に取り出す機能がなくても無線送信機を通じて映像出力装置を遠隔操作することができる。
【００２２】
また、請求項６に記載の浴室テレビシステムは、上記本体装置にアナログ方式のテレビ放送を受信するためのアナログチューナが備えられ、上記映像出力装置としてデジタル方式のテレビ放送を受信するためのデジタルチューナが用いられ、これらが請求項１から５のいずれかに記載の映像出力装置の接続ユニットによって接続されることを特徴とする。
【００２３】
すなわち、この請求項６に記載の発明によれば、既設のアナログ方式のテレビ放送を受信するアナログチューナを備えた浴室テレビシステムに、デジタル方式のテレビ放送を受信するためのデジタルチューナを増設するにあたり、デジタルチューナの電源スイッチの切り忘れや電源スイッチの入れ忘れが解消され、使い勝手を損なうことなく地上デジタル放送の視聴ができる浴室テレビシステムを提供できる。
【発明の効果】
【００２４】
請求項１に記載の発明によれば、制御手段が本体装置及び映像出力装置に流れる各電流を監視し、その電流値の変動から本体装置及び映像出力装置の双方が電源オン／オフのいずれの動作状態にあるかを判定して、映像出力装置の動作状態を本体装置の動作状態に合わせるので、浴室テレビシステムに増設された映像出力装置は常に本体装置の動作状態に連動することとなり、映像出力装置の電源スイッチの切り忘れや電源スイッチの入れ忘れが防止でき、使い勝手のよい浴室テレビシステムを構築することができる。
【００２５】
請求項２に記載の発明によれば、制御手段が映像出力装置の電流検出手段の出力に基づいて映像出力装置の動作状態を判定し、映像出力装置の動作状態が本体装置に連動していなければ再度赤外線信号を映像出力装置に与えるので、映像出力装置の動作状態をより確実に本体装置の動作状態に連動させることができる。
【００２６】
請求項３に記載の発明によれば、モニタ装置等から外部に取り出された赤外線信号が制御手段に入力されるとともに、この入力された赤外線信号（制御信号）に応じた赤外線信号が映像出力機器に与えられる。そのため、ワイヤレスリモコンでの操作内容が映像出力装置にも与えられ、ワイヤレスリモコンを通じて映像出力装置を遠隔操作することができる。また、請求項４に記載の発明によれば、ワイヤレスリモコンと映像出力装置の信号コードが相違していても映像出力装置を遠隔操作できるようになる。
【００２７】
請求項５に記載の発明によれば、モニタ装置等にワイヤレスリモコンからの赤外線信号を外部に取り出す機能が備えられていない場合においても無線送信機によって遠隔操作指令を送信できるようにしておくことで、この無線送信機から送信された無線信号が制御手段に入力されるとともに、この無線信号（制御信号）に応じた赤外線信号が映像出力機器に与えられる。そのため、モニタ装置等にワイヤレスリモコンから送信された赤外線信号を外部に取り出す機能がなくても無線送信機を通じて映像出力装置を遠隔操作することができる。
【００２８】
請求項６に記載の発明によれば、既設のアナログ方式のテレビ放送を受信するアナログチューナを備えた浴室テレビシステムにデジタル方式のテレビ放送を受信するためのデジタルチューナを増設するにあたり、デジタルチューナの電源スイッチの切り忘れや電源スイッチの入れ忘れが解消され、使い勝手を損なうことなく地上デジタル放送の視聴ができる。
【発明を実施するための最良の形態】
【００２９】
以下、本発明の一実施形態を図面に基づいて詳細に説明する。
図１は、本発明に係る接続ユニット１の概略構成の一例を示す回路図である。図に示す接続ユニット１は、浴室テレビシステムに映像出力装置を接続するためのユニットである。ここで、この接続ユニット１の接続対象である浴室テレビシステムの構成は図６に示した従来のものと同じであるので構成が共通する部分には同じ符号を用いて説明を省略する。また、映像出力装置はＡＶ信号を出力する装置であり、たとえば、地上デジタル放送を受信するためのデジタルチューナやＤＶＤプレイヤなどが挙げられる。なお、以下においては、この映像出力装置としてデジタルチューナＡ（図２参照）を用いた場合について説明する。
【００３０】
上記接続ユニット１は、商用電源の入力端子２と、浴室テレビシステムの本体装置ｂへの電源出力端子３と、デジタルチューナＡへの電源出力端子４と、直流電源入力端子５と、ＡＶ信号入力端子６と、ＡＶ信号出力端子７と、赤外線信号入力端子８と、赤外線信号出力端子９と、無線モジュール接続端子１０とを備えた基板１１の形態とされる。そして、この基板１１上に、上記本体装置ｂに流れる電流を検出する電流検出手段１２と、上記デジタルチューナＡに流れる電流を検出する電流検出手段１３と、制御手段（マイコン）１４と、電源部１５とが主要部として実装されている。
【００３１】
より詳細には、上記商用電源の入力端子２と上記電源出力端子３，４がそれぞれ電源線１６，１７を介して接続され、入力端子２と電源出力端子３とを接続する電源線１６には上記電流検出手段１２が設けられている。この電流検出手段１２は、カレントトランス１８と、ダイオード１９と、抵抗器２０と、電解コンデンサ２１と、演算増幅器２２とで構成され、上記カレントトランス１８で取り出した電流値がデジタル信号に変換されてマイコン１４に入力されるように構成されている。また、同様に、入力端子２と電源出力端子４とを接続する電源線１７には上記電流検出手段１３が設けられる。この電流検出手段１３は、カレントトランス２３と、ダイオード２４と、抵抗器２５と、電解コンデンサ２６と、演算増幅器２７とで構成され、上記カレントトランス２３で取り出した電流値がデジタル信号に変換されてマイコン１４に入力されるように構成されている。
【００３２】
ＡＶ信号入力端子６は、映像出力装置から出力されるＡＶ信号を入力するための端子であって、図示のＡＶ信号入力端子６は、デジタルチューナＡからのＡＶ信号とその他の機器（映像出力装置）からのＡＶ信号の２系統のＡＶ信号線（図示せず）が着脱可能に接続できる構成とされており、セレクタ２８を介してＡＶ信号出力端子７に接続されている。なお、このセレクタ２８は、マイコン１４からの指令に基づいて上記ＡＶ信号入力端子６に入力される２系統のＡＶ信号のうちの一方を選択してＡＶ信号出力端子７に供給するように構成されている。
【００３３】
赤外線信号入力端子８は、赤外線信号の伝送ケーブル（図示せず）をコネクタ４５を介して着脱可能に接続するための端子である。上記コネクタ４５には、赤外線信号を電気信号に変換する回路が備えられており、このコネクタ４５によって電気信号に変換された赤外線信号が上記マイコン１４に入力されるように構成されている。つまり、赤外線信号入力端子８とコネクタ４５とが外部からの赤外線信号をマイコン１４に入力するための赤外線信号入力手段を構成する。
【００３４】
一方、赤外線信号出力端子９は、上記マイコン１４から赤外線信号生成用として出力される電気信号を基板１１外に出力するための端子であって、この赤外線信号出力端子９には電気信号を赤外線信号に変換する赤外線発光モジュール３２が着脱可能に接続される。図示例では、この赤外線発光モジュール３２は、フレキシブルケーブル部３３と、その先端に設けられた赤外線発光部３４とで構成され、赤外線発光部３４の位置を自由に設定できるように構成されている。なお、赤外線信号出力端子９と赤外線発光モジュール３２とによってデジタルチューナＡに対する赤外線信号を出力する赤外線信号送信手段が形成されている（詳細は後述する）。
【００３５】
無線モジュール接続端子１０は、後述する無線モジュール３５を着脱可能に接続するための端子であり、無線モジュール３５によって受信された制御信号がこの無線モジュール接続端子１０を介してマイコン１４に入力されるように構成されている。なお、この無線モジュール接続端子１０と無線モジュール３５によって無線受信手段が構成されている。
【００３６】
直流電源入力端子５は、外部の直流電源（本実施形態では、本体装置ｂの本体電源部ｒ）から直流電力（図示例では直流１２Ｖ）の供給を受けるための端子であって、電源部１５と接続されている。この電源部１５は、接続ユニット１の各部に供給する直流電力を生成する電源装置であって、マイコン１４その他の電源として直流５Ｖの電圧を生成している。なお、図において符号３８はマイコン１４のリセット回路である。
【００３７】
マイコン１４は、接続ユニット１の各部を制御する制御装置であって、ＣＰＵ，ＲＯＭ，ＲＡＭ等の周知の構成を備えており、ＲＯＭ内には後述する各種処理を実行するための制御プログラムが記憶されている。また、本実施形態では、このマイコン１４にはディップスイッチ３９が備えられており、このディップスイッチ３９の設定に応じてマイコン１４が後述する赤外線信号の信号コードの変換プログラムを選択するように構成されている。
【００３８】
しかして、このように構成された接続ユニット１を用いて、既設の浴室テレビシステム（本体装置ｂにテレビ放送受信用のアナログチューナｌを備えたもの）に地上デジタル放送の受信ができるデジタルチューナＡを接続する手順の一例を図２を用いて説明する。
【００３９】
図２は、既設の浴室テレビシステム（具体的には本体装置ｂ）と接続ユニット１とデジタルチューナＡとの接続関係を説明する説明図である。なお、図示のように、この接続ユニット１はデジタルチューナＡとともに箱状の筐体４０内に収容される。ここで、本実施形態では上記デジタルチューナＡとして、市場で容易に入手可能な市販品のチューナが好適に用いられる。したがって、この筐体４０はこのような市販品のデジタルチューナＡのサイズに合わせて適当な大きさに設定されている。
【００４０】
そこで、接続にあたっては、まず、商用電源ＣＰから本体装置ｂに接続されている電源線を外してこれを商用電源の入力端子２（図示例ではこの入力端子２に接続された端子４１）に接続する。次に、電源出力端子３（図示例ではこの電源出力端子３に接続された端子４２）と本体装置ｂの本体電源部ｒに接続するとともに、電源出力端子４（図示例ではこの電源出力端子４に接続されたコンセント４３）にデジタルチューナＡの電源プラグＢを接続する。これにより、接続ユニット１を介して本体装置ｂの本体電源部ｒ及びデジタルチューナＡに商用電源（交流１００Ｖ）の供給が開始される。またその際、本体装置ｂの本体電源部ｒに設けられた電源出力端子と上記直流電源入力端子５とを（図示例ではコネクタ４４を介して）接続する。これにより接続ユニット１の各部に直流電力が供給される。
【００４１】
このようにして、電源系統の接続が完了すると、次に、赤外線信号の伝送ケーブル（図示せず）をコネクタ４５を介して赤外線信号入力端子８に接続する。ところで、この赤外線信号の伝送ケーブルの接続は、本体装置ｂまたはモニタ装置ａにワイヤレスリモコンｄから送信された赤外線信号を外部に取り出す機能が備えられている場合にのみ行われる。つまり、本体装置ｂまたはモニタ装置ａにこの機能がある場合には、これらのうちのいずれか（本実施形態では本体装置ｂの本体赤外線信号送信部ｑ）から赤外線信号の伝送ケーブルを引き出して赤外線信号入力端子８に接続する。これにより、ワイヤレスリモコンｄの操作内容に応じて送信される赤外線信号を接続ユニット１のマイコン１４に取り込むことが可能になる。
【００４２】
これに対して、本体装置ｂまたはモニタ装置ａにワイヤレスリモコンｄから送信された赤外線信号を外部に取り出す機能が備えられていない場合にはこの作業は行わず、その代わりに無線モジュール接続端子１０に無線モジュール３５を接続する。ここで、本体装置ｂまたはモニタ装置ａにワイヤレスリモコンｄから送信された赤外線信号を外部に取り出す機能が備えられていない場合、ワイヤレスリモコンｄの操作内容を赤外線信号の形態で接続ユニット１のマイコン１４に取り込むことができない。
【００４３】
そのため、本実施形態では、このような場合、ワイヤレスリモコンｄを赤外線信号の送信機能と電波による無線送信機能を備えたリモコンに交換し、この無線送信機能を使ってワイヤレスリモコンｄからの制御信号（遠隔操作指令）を送信可能に構成する。そして、このようにして無線送信される制御信号を受信する受信機として上記無線モジュール３５を接続ユニット１に接続する。これにより、本体装置ｂまたはモニタ装置ａに赤外線信号を外部に取り出す機能が備えられていない場合でもワイヤレスリモコンｄの操作内容に応じた制御信号を接続ユニット１のマイコン１４に取り込むことが可能になる。なお、この無線モジュール３５は赤外線信号入力端子８から赤外線信号を取り込めない場合にのみ必要であり、赤外線信号の取り込みが可能なときは装着を省略することができるのはもちろんである。
【００４４】
このようにして、ワイヤレスリモコンｄからの制御信号の取り込み配線が完了すると、次に、本体装置ｂの本体ＡＶ信号入力部ｍと接続ユニット１のＡＶ信号出力端子７（図示例ではこのＡＶ信号出力端子７に接続された端子４６）とを接続する。これにより、接続ユニット１からのＡＶ信号出力が外部入力として本体装置ｂに与えられる。したがって、ワイヤレスリモコンｄでの表示入力の選択操作により、接続ユニット１から出力された映像等をモニタ装置ａに表示等させることができる。
【００４５】
なお、この作業の際、既に本体装置ｂの本体ＡＶ信号入力部ｍに他の映像出力装置（たとえばＤＶＤプレイヤ）のＡＶ信号線が接続されている場合には、このＡＶ信号線を本体装置ｂから外して接続ユニット１のＡＶ信号入力端子６の１系統の端子（図示例ではこのＡＶ信号入力端子６に接続された端子４７）に接続する。これにより、接続ユニット１のセレクタ２８を切り替えることにより、本体装置ｂに既に接続されていた映像出力装置からのＡＶ信号出力を本体装置ｂに取り込むことができ、モニタ装置ａに表示等することができるようになる。
【００４６】
そして、デジタルチューナＡに関連して、デジタルチューナＡのＡＶ出力端子ＣとＡＶ信号入力端子６の他の１系統の端子に接続し、さらにデジタルチューナＡのアンテナ接続端子Ｄにアンテナ線（図示せず）を接続する。また、デジタルチューナＡで必要なＩＣカードＥも装着する。
【００４７】
そして、接続ユニット１の上記赤外線信号出力端子９に赤外線発光モジュール３２を装着し、フレキシブルケーブル部３３の先端にある赤外線発光部３４の発光部分がデジタルチューナＡに設けられる遠隔制御用の赤外線信号受光部（図示せず）と対面するように配設し、最後に筐体４０に図示しない蓋をする。これにより、マイコン１４から出力される制御信号によってデジタルチューナＡを制御することができるようになる。
【００４８】
すなわち、マイコン１４が赤外線信号入力端子８を介してワイヤレスリモコンｄからの赤外線信号を取り込んだ場合には、その赤外線信号はそのまま（内容を変更せずに）赤外線信号出力端子９からデジタルチューナＡに与えられる。したがって、ワイヤレスリモコンｄでチャンネル操作がなされた場合にはその操作内容に対応する赤外線信号（制御信号）がデジタルチューナＡに与えられ、デジタルチューナＡの受信チャンネルがワイヤレスリモコンｄの設定に応じて変更される。なお、その際、既設の浴室テレビシステムの製造メーカとデジタルチューナＡの製造メーカが相違すると赤外線信号の信号コードの相違によってデジタルチューナＡが正常に動作しない場合があるので、本実施形態では、接続ユニット１のディップスイッチ３９によりデジタルチューナＡの製造メーカを設定することにより、マイコン１４が設定された製造メーカの信号コードに対応するように赤外線信号を変換して出力するように構成されている。
【００４９】
なお、マイコン１４が上述した無線モジュール３５を介してワイヤレスリモコンｄからの制御信号を取り込む場合も上記と同様にディップスイッチ３９の設定に応じて信号コードを変換するように構成することができる他、この場合はワイヤレスリモコンｄの交換を伴うことから、リモコン側の設定で送信する制御信号の信号コードを予めデジタルチューナＡの信号コードに合わせておき、上記ディップスイッチ３９の設定が無効となるようにプログラムしておくことも可能である。
【００５０】
このように、本発明に係る接続ユニット１を用いて既設の浴室テレビシステムにデジタルチューナＡを追加接続することにより、既設のモニタ装置ａや本体装置ｂを利用してデジタルチューナＡを接続できる。しかも、ワイヤレスリモコンｄによる既設の浴室テレビシステムの遠隔操作機能を維持しつつデジタルチューナＡの遠隔操作も行なえるので操作性のよいシステムを提供できる。
【００５１】
ところで、このような構成によると地上デジタル放送を視聴しようとした場合、ワイヤレスリモコンｄでモニタ装置ａのオン操作（本体装置ｂ側の電源オン操作）とデジタルチューナＡ側の電源オン操作の双方を実行しなければモニタ装置ａには地上デジタル放送が表示等されないこととなる。そのため、本実施形態では、接続ユニット１のマイコン１４に以下に説明する内容の制御プログラムを搭載し、デジタルチューナＡの動作状態（具体的には電源のオン／オフの状態）がモニタ装置ａの動作状態（具体的には本体装置ｂの電源のオン／オフの状態）に連動するように構成されている。
【００５２】
そこで、このようなデジタルチューナＡの動作状態の連動処理を図３及び図４に基づいて説明する。図３はデジタルチューナＡの電源をオフからオンに変更する手順を示すフローチャートであり、図４はデジタルチューナＡの電源をオンからオフに変更する手順を示すフローチャートである。
【００５３】
図３に示すように、本発明の接続ユニット１のマイコン１４は、上記電流検出手段１２の出力を監視して、本体装置ｂに流れる電流が増加したか否かを判断する（図３ステップＳ１参照）。
【００５４】
すなわち、上記モニタ装置ａの前面に設けられる電源スイッチのオン操作またはワイヤレスリモコンｄによるモニタ装置ａに対する電源スイッチオン操作がなされると、モニタ装置ａと本体装置ｂの双方が動作を開始し、これにより本体装置ｂに流れる電流が増加するので、マイコン１４は電源線１６を流れる電流を監視することにより、モニタ装置ａおよび本体装置ｂが動作を開始したか否かを判断する。
【００５５】
ここで、モニタ装置ａおよび本体装置ｂの動作開始の有無を本体装置ｂに流れる電流に基づいて判断するように構成しているのは、電源スイッチのオン／オフ操作に伴ってワイヤレスリモコンｄから送信される赤外線信号や無線送信される制御信号は、いずれの場合も電源スイッチが操作されたことのみを示すものであり、オン操作／オフ操作のいずれの操作がなされたかまではこれら赤外線信号等を解析しても判断できないからである。そのため、本発明の接続ユニット１では、本体装置ｂに流れる電流に基づいてモニタ装置ａおよび本体装置ｂの動作開始の有無を判断するように構成している（後述する電源をオンからオフに連動させる処理についても同様である）。
【００５６】
そして、本体装置ｂに流れる電流が増加した場合（図３ステップＳ１でＹｅｓの場合）にはモニタ装置ａおよび本体装置ｂが動作を開始した（両者の電源がオンされた）と判定し、図３ステップＳ２に移行する。なお、本体装置ｂに流れる電流が増加していない場合（図３ステップＳ１でＮｏの場合）にはモニタ装置ａおよび本体装置ｂはともに動作が停止している（両者の電源スイッチがオフである）と判定し、図３ステップＳ１に復帰する。
【００５７】
そして、上記図３ステップＳ１の判断で本体装置ｂに流れる電流が増加したと判断した場合（図３ステップＳ１でＹｅｓの場合）には、デジタルチューナＡの動作状態をモニタ装置ａおよび本体装置ｂの動作状態に連動させるために、マイコン１４は、デジタルチューナＡに対して電源スイッチのオンを指示する制御信号を生成し、この制御信号を赤外線信号出力端子９を通じてデジタルチューナＡに与えると同時に、このデジタルチューナＡに対して設定された所定の待ちタイマのカウントを開始する（図３ステップＳ２参照）。これによりデジタルチューナＡに対して電源スイッチをオンせよとの赤外線信号が与えられ、デジタルチューナＡの電源スイッチがオンの状態になる。
【００５８】
このようにして、デジタルチューナＡに対して電源スイッチをオンせよとの赤外線信号を与えると、次に、マイコン１４は、上記待ちタイマのカウントが所定値に達したか（タイマＵＰしたか）を判断する（図３ステップＳ３参照）。この待ちタイマは、図３ステップＳ５以降の処理（デジタルチューナＡが動作を開始したかの判定処理）を実行するタイミングを図るために設けられた計時手段を構成するものである。つまり、デジタルチューナＡに電源スイッチオンを指示する赤外線信号が入力されてからデジタルチューナＡが動作状態となるまで（電源スイッチがオン状態になるまで）にはわずかな遅れがあることから、この間は図３ステップＳ５以降の処理を行なわないようにされている。したがって、この図３ステップＳ３の判断において待ちタイマのカウントが所定値に達していなければ（図３ステップＳ３でＮｏの場合）、図３ステップＳ４に移行して待ちタイマのカウントを続行する。
【００５９】
これに対して、上記待ちタイマのカウントが所定値に達したら（図３ステップＳ３でＹｅｓの場合）、続く図３ステップＳ５に移行して、今度は、電流検出手段１３の出力を監視して、デジタルチューナＡに流れる電流が増加したか否かを判断する（図３ステップＳ５参照）。
【００６０】
すなわち、図３ステップＳ２の処理によってデジタルチューナＡが正常に動作を開始すると（電源スイッチがオンされると）、デジタルチューナＡに流れる電流が増加するので、マイコン１４は電源線１７に流れる電流を監視することにより、デジタルチューナＡが動作を開始したか否かを判断する。そして、デジタルチューナＡに流れる電流が増加した場合（図３ステップＳ５でＹｅｓの場合）にはデジタルチューナＡが動作を開始した（電源スイッチがオンされた）と判定し、上記待ちタイマのカウントをクリアする（図３ステップＳ６参照）。また、同時に後述するＮＧカウンタもクリアして（図３ステップＳ７参照）、デジタルチューナＡの電源をオフからオンに連動させる処理を終了する。なお、この終了後は図４の処理を開始する。
【００６１】
一方、図３ステップＳ５の判断で、デジタルチューナＡに流れる電流が増加していない場合（図３ステップＳ５でＮｏの場合）は、デジタルチューナＡの電源スイッチのオンに失敗したことになるので、この場合は図３ステップＳ２に復帰して、マイコン１４は再度デジタルチューナＡに対して電源スイッチをオンせよとの制御信号を出力する。
【００６２】
ただし、デジタルチューナＡが故障等している場合、図３ステップＳ２からＳ５の処理が際限なく繰り返されることになるので、そのような事態を回避すべくマイコン１４には制御信号（赤外線信号）の再出力の回数をカウントするＮＧカウンタが設定されている。つまり、このＮＧカウンタは、図３ステップＳ５の判断が否定的でマイコン１４が再度デジタルチューナＡに対して電源スイッチをオンせよとの制御信号を出力した回数を計測するカウンタであって（図３ステップＳ９参照）、マイコン１４が再度制御信号を出力する前にこのＮＧカウンタの計測値が所定回数に達したか（ＮＧカウンタＵＰか）を判断し（図３ステップＳ８参照）、所定回数に達していなければ図３ステップＳ９でカウント値を加算して制御信号を再出力し（図３ステップＳ２参照）、所定回数に達した場合にはデジタルチューナＡが故障と判定して所定の故障報知処理（たとえば、モニタ装置ａに故障である旨を表示したり警報音を出力させるなどの処理）を実行する（図３ステップＳ１０参照）。
【００６３】
このように、本実施形態に示す接続ユニット１によれば、上記モニタ装置ａの電源スイッチのオン操作またはワイヤレスリモコンｄによるモニタ装置ａに対する電源スイッチのオン操作がなされると、マイコン１４が本体装置ｂに流れる電流を検出する電流検出手段１２の出力に基づいて本体装置ｂの動作状態を判定し、デジタルチューナＡの電源スイッチが本体装置ｂの電源スイッチに連動するようにデジタルチューナＡに対して赤外線信号を出力するので、デジタルチューナＡの電源入れ忘れを防止することができる。
【００６４】
また、その際に、マイコン１４は、デジタルチューナＡに流れる電流を検出する電流検出手段１３の出力に基づいてデジタルチューナＡが本体装置ｂに連動して電源スイッチがオンされたか否かを判定し、連動していなければ再度デジタルチューナＡに対して赤外線信号を出力するので、デジタルチューナＡの連動失敗を解消することができる。
【００６５】
しかして、このようにモニタ装置ａの電源スイッチのオン操作またはワイヤレスリモコンｄによるモニタ装置ａに対する電源スイッチオン操作に連動してデジタルチューナＡの電源スイッチをオンさせると、次にマイコン１４は、図４に示す手順でデジタルチューナＡの電源をオンからオフに変更する処理を行なう。
【００６６】
すなわち、マイコン１４は、図４ステップＳ１に示すように、上記電流検出手段１２の出力を監視して、本体装置ｂに流れる電流が減少したか否かを判断する（図４ステップＳ１参照）。
【００６７】
これは、上記モニタ装置ａの電源スイッチのオフ操作またはワイヤレスリモコンｄによるモニタ装置ａに対する電源スイッチオフ操作がなされると、モニタ装置ａと本体装置ｂの双方が動作を停止し、これにより本体装置ｂに流れる電流が減少するので、マイコン１４は電源線１６を流れる電流を監視することにより、モニタ装置ａおよび本体装置ｂが動作を停止したか否かを判断する。そして、本体装置ｂに流れる電流が減少した場合（図４ステップＳ１でＹｅｓの場合）にはモニタ装置ａおよび本体装置ｂが動作を停止した（両者の電源がオフされた）と判定し、図４ステップＳ２に移行する。なお、本体装置ｂに流れる電流が減少していない場合（図４ステップＳ１でＮｏの場合）にはモニタ装置ａおよび本体装置ｂはともに動作が継続している（両者の電源スイッチがオンである）と判定し、図４ステップＳ１に復帰する。
【００６８】
そして、図４ステップＳ１の判断で本体装置ｂに流れる電流が減少したと判断した場合（図４ステップＳ１でＹｅｓの場合）には、デジタルチューナＡの動作状態をモニタ装置ａおよび本体装置ｂの動作状態に連動させるために、マイコン１４は、デジタルチューナＡに対して電源スイッチのオフを指示する制御信号を生成し、この制御信号を赤外線信号出力端子９を通じてデジタルチューナＡに与える。また、これと同時にこのデジタルチューナＡに対して設定された所定の待ちタイマのカウントを開始する（図４ステップＳ２参照）。これによりデジタルチューナＡに対して電源スイッチをオフせよとの赤外線信号が与えられ、デジタルチューナＡの電源スイッチがオフの状態になる。
【００６９】
このようにして、デジタルチューナＡに対して電源スイッチをオフせよとの赤外線信号を与えると、次に、マイコン１４は、上記待ちタイマのカウントが所定値に達したか（タイマＵＰしたか）を判断する（図４ステップＳ３参照）。この待ちタイマは、図３ステップＳ３における待ちタイマと同様に図４ステップＳ５以降の処理（デジタルチューナＡが動作を停止したかの判定処理）を実行するタイミングを図るために設けられた計時手段である。そして、この図４ステップＳ３の判断において待ちタイマのカウントが所定値に達していなければ（図４ステップＳ３でＮｏの場合）、図４ステップＳ４に移行して待ちタイマのカウントを続行する。
【００７０】
これに対して、上記待ちタイマのカウントが所定値に達した場合（図４ステップＳ３でＹｅｓの場合）には、続く図４ステップＳ５に移行して、今度は、電流検出手段１３の出力を監視して、デジタルチューナＡに流れる電流が減少したか否かを判断する（図４ステップＳ５参照）。
【００７１】
すなわち、図４ステップＳ２の処理によってデジタルチューナＡが正常に動作を停止していると（電源スイッチがオフされると）、デジタルチューナＡに流れる電流が減少するので、マイコン１４は電源線１７に流れる電流を監視することにより、デジタルチューナＡが動作を停止したか否かを判断する。そして、デジタルチューナＡに流れる電流が減少した場合（図４ステップＳ５でＹｅｓの場合）にはデジタルチューナＡが動作を停止した（電源スイッチがオフされた）と判定し、上記待ちタイマのカウントをクリアする（図４ステップＳ６参照）とともに、ＮＧカウンタもクリアして（図４ステップＳ７参照）、デジタルチューナＡの電源をオンからオフに連動させる処理を終了する。
【００７２】
これに対し、図４ステップＳ５の判断で、デジタルチューナＡに流れる電流が減少していない場合（図４ステップＳ５でＮｏの場合）は、デジタルチューナＡの電源スイッチのオフに失敗したことになるので、この場合は図４ステップＳ２に復帰して、マイコン１４は再度デジタルチューナＡに対して電源スイッチをオフせよとの制御信号を出力する。
【００７３】
なおこのとき、デジタルチューナＡが故障等している場合に図４ステップＳ２からＳ５の処理が際限なく繰り返されることになるのは図３の場合と同様であるので、図４の処理においても、マイコン１４には制御信号（赤外線信号）の再出力の回数をカウントするＮＧカウンタが設定され、マイコン１４が再度制御信号を出力する前にこのＮＧカウンタの計測値が所定回数に達したか（ＮＧカウンタＵＰか）を判断し（図４ステップＳ８参照）、所定回数に達していなければ図４ステップＳ９でカウント値を加算して制御信号を再出力し（図４ステップＳ２参照）、所定回数に達した場合にはデジタルチューナＡが故障と判定して所定の故障報知処理（たとえば、モニタ装置ａに故障である旨を表示したり警報音を出力させるなどの処理）を実行する（図４ステップＳ１０参照）。
【００７４】
このように、本実施形態に示す接続ユニット１によれば、上記モニタ装置ａの電源スイッチのオフ操作またはワイヤレスリモコンｄによるモニタ装置ａに対する電源スイッチのオフ操作がなされた場合にも、マイコン１４が本体装置ｂに流れる電流を検出する電流検出手段１２の出力に基づいて本体装置ｂの動作状態を判定し、デジタルチューナＡの電源スイッチが本体装置ｂの電源スイッチに連動するようにデジタルチューナＡに対して赤外線信号を出力するので、デジタルチューナＡの電源消し忘れを防止することができる。
【００７５】
また、その際に、マイコン１４は、デジタルチューナＡに流れる電流を検出する電流検出手段１３の出力に基づいてデジタルチューナＡが本体装置ｂに連動して電源スイッチがオフされたか否かを判定し、連動していなければ再度デジタルチューナＡに対して赤外線信号を出力するので、デジタルチューナＡの連動失敗を解消することができる。
【００７６】
以上の通り、本実施形態に示す接続ユニット１を用いてデジタルチューナＡを接続すれば、デジタルチューナＡの電源スイッチは上記モニタ装置ａの電源スイッチ及びワイヤレスリモコンｄの電源スイッチに連動してオン／オフが行なわれるので、デジタルチューナＡを増設した場合でもユーザは別途デジタルチューナＡに対する電源スイッチのオン／オフ操作をしなくてもよく使い勝手がよい。しかも、ワイヤレスリモコンｄにデジタルチューナ用の電源スイッチを設ける必要がないので、スイッチを少なくでき見た目にもすっきりとしたリモコンとすることができる。
【００７７】
なお、上述した実施形態はあくまでも本発明の好適な実施態様を示すものであって、本発明はこれらに限定されることなくその範囲内で種々の設計変更が可能である。  
【００７８】
たとえば、上述した実施形態では、浴室テレビシステムに増設する映像出力装置としてデジタルチューナＡを用いた場合を示したが、ＡＶ信号を出力する装置であれば、たとえばＤＶＤプレイヤやビデオプレイヤ等の他の装置を用いることも可能である。
【００７９】
また、上述した実施形態では、デジタルチューナＡに与える制御信号の信号コードの設定をディップスイッチ３９を用いて行なうように構成した場合を示したが、ディップスイッチ以外の選択手段によって設定できるようにすることも可能である。
【図面の簡単な説明】
【００８０】
【図１】本発明に係る接続ユニット１の概略構成の一例を示す回路図である。
【図２】同接続ユニットと、既設の浴室テレビシステムとデジタルチューナとの接続関係を説明する説明図である。
【図３】同接続ユニットを用いた浴室テレビシステムにおけるデジタルチューナの電源をオフからオンに変更する手順を示すフローチャートである。
【図４】同接続ユニットを用いた浴室テレビシステムにおけるデジタルチューナの電源をオンからオフに変更する手順を示すフローチャートである。
【図５】従来の浴室テレビシステムの概略構成の一例を示す説明図である。
【図６】従来の浴室テレビシステムの概略構成を示す機能ブロック図である。
【符号の説明】
【００８１】
１            接続ユニット
２            商用電源の入力端子
３            本体装置への電源出力端子
４            映像出力装置への電源出力端子
５            直流電源入力端子
６            ＡＶ信号入力端子
７            ＡＶ信号出力端子
８            赤外線信号入力端子
９            赤外線信号出力端子
１０          無線モジュール接続端子
１１          基板
１２          本体装置の電流検出手段
１３          映像出力装置の電流検出手段
１４          マイコン（制御手段）
１５          電源部
１６，１７    電源線
１８，２３    カレントトランス
３２          赤外線発光モジュール
３５          無線モジュール
３９          ディップスイッチ
４０          筐体
Ａ            デジタルチューナ（映像出力装置）
ａ            モニタ装置
ｂ            本体装置
ｃ            ケーブル
ｄ            ワイヤレスリモコン
【図１】
2009010801.tif 000003
【図２】
2009010801.tif 000004
【図３】
2009010801.tif 000005
【図４】
2009010801.tif 000006
【図５】
2009010801.tif 000007
【図６】
2009010801.tif 000008